(57)【要約】【課題】真正性判定用媒体としてのコレステリック液晶層が、見る角度により色が変化して見えるのをより複雑化させて、偽造・変造に対する耐久性の高い真正性判定用媒体を提供することを課題とする。【解決手段】コレステリック液晶層２の背面に透明基材３およびプリズム層４が順に積層され、さらに背面に黒色層６が積層された構成として課題を解決することができた。コレステリック液晶層２が背面に伴なうプリズム層４においては、法線方向から入射した光は再帰反射して元の方向に戻るため、コレステリック液晶層２のみの色変化に加え、再帰反射に伴なう別の色が加わり、色変化がより複雑化する。【選択図】        図１
2006142576.tif 000002
【特許請求の範囲】
【請求項１】
見る角度により色が異なる色可変層の背面に、透明層の背面に断面形状がＶ字状の溝が配列した凹凸形状を有するプリズムシートが積層されていることを特徴とする真偽判定用媒体。
【請求項２】
前記プリズムシートの前記Ｖ字状の溝が透明物質によりパターン状に充填された充填層を有していることを特徴とする請求項１記載の真偽判定用媒体。
【請求項３】
前記プリズムシートの背面に黒色層もしくは暗色層が積層されていることを特徴とする請求項１または請求項２記載の真偽判定用媒体。
【請求項４】
請求項１〜請求項３いずれか記載の真偽判定用媒体の背面にさらに接着剤層が積層されていることを特徴とする真偽判定用媒体ラベル。
【請求項５】
請求項１〜請求項３いずれか記載の真偽判定用媒体が剥離性基材の剥離性面に積層されていることを特徴とする真偽判定用媒体転写シート。
【請求項６】
請求項１〜請求項３いずれか記載の真偽判定用媒体を、シートの一部に可視可能に有することを特徴とする真偽判定可能なシート。
【請求項７】
請求項１〜請求項３いずれか記載の真偽判定用媒体が、真偽判定対象である情報記録体の表面に積層されているか、もしくは前記情報記録体の一部に可視可能に有することを特徴とする真偽判定可能な情報記録体。
【発明の詳細な説明】
【技術分野】
【０００１】
本発明は改ざんが困難で、真正性を判定するのに適した真偽判定用媒体、真偽判定用媒体ラベル、真偽判定用媒体転写シート、真偽判定可能なシート、および真偽判定可能な情報記録体に関する。
【背景技術】
【０００２】
例えば、経済的な価値の高い高額商品、ＩＤ手段として用いると価値を生じ得るクレジットカード、または金券類等には、それらの真正性を証明する（もしくは真偽を判定し得る）手段が講じられていることが多い。真正性を証明する代表的な手段としてはホログラムや回折格子をラベル化したものが多く用いられているが、これら以外の特殊な視覚効果を有するものも用いられている。しかしながら、真正性を証明する手段として新たなものが出現すると、不正な意図を持って、偽造もしくは変造を試みる者が現れるため、真正性を証明する手段を作成する側は、絶えず、新たなものを生み出す必要に迫られる。
【０００３】
ごく最近に公開された真正性を証明する手段として、基材フィルム上に、剥離層兼保護層、コレステリック液晶層、地紋印刷層、および接着層の各層を順次積層した積層構造からなる真偽判定体用転写箔がある（特許文献１）。
【特許文献１】特開２００４−５０５９６号公報（請求項１）。
【０００４】
特許文献１記載の真偽判定体用転写箔を用いて、真正性を証明すべき必要性のある被着体上に転写を行なうと、被着体上に、接着層、地紋印刷層、コレステリック液晶層、および剥離層兼保護層が順に積層される。転写によって得られたものは、地紋印刷層の複雑さに加え、コレステリック液晶層が有する、見る角度によって選択反射性を有し色彩変化を生じる効果を有する。
【０００５】
図６はコレステリック液晶層を有する真偽判定用媒体におけるコレステリック液晶層の働きを説明するための図である。図６（ａ）に示すように、コレステリック液晶層１０２の背面に黒色層（もしくは色が黒色に近い暗色層）１０６が積層されている場合には、コレステリック液晶層１０２の法線方向では、例えば緑色が観察され、斜め方向からは青色が観察される。また、図６（ｂ）に示すように、コレステリック液晶層１０２の背面に白色層１０６’が積層されている場合には、コレステリック液晶層１０２の法線方向でも、斜め方向からでも薄赤色が観察される。
【０００６】
従って、このように、見る角度によって色が異なるコレステリック液晶層は、単なるカラーコピー等によって、同様な外観を再現することは困難であるから、偽造防止性を備えたものである。しかしながら、コレステリック液晶自体は、既に知られたものであり、真性物を分析して、同じ層を作成すれば、見る角度によって起こる色変化を、真性物のものと同じようにすることは可能である。
【発明の開示】
【発明が解決しようとする課題】
【０００７】
本発明においては、上記のように、適用されたコレステリック液晶層が示す、見る角度による色変化を、より複雑化させることを課題とする。
【課題を解決するための手段】
【０００８】
発明者は、コレステリック液晶層の下地として、例えば、断面が三角形のプリズムを多数配列した凹凸を背面に有するプリズムシートを配置することにより、コレステリック液晶層が示す、見る角度による色変化に加え、特に、正面から観察した際に観察される色を異なるものとすることが可能であることを見い出し、本発明に到達することができた。
【０００９】
第１の発明は、見る角度により色が異なる色可変層の背面に、透明層の背面に断面形状がＶ字状の溝が配列した凹凸形状を有するプリズムシートが積層されていることを特徴とする真偽判定用媒体に関するものである。
【００１０】
第２の発明は、第１の発明において、前記プリズムシートの前記Ｖ字状の溝が透明物質によりパターン状に充填された充填層を有していることを特徴とする真偽判定用媒体に関するものである。
【００１１】
第３の発明は、第１または第２の発明において、前記プリズムシートの背面に黒色層もしくは暗色層が積層されていることを特徴とする真偽判定用媒体に関するものである。
【００１２】
第４の発明は、第１〜第３いずれかの発明の真偽判定用媒体の背面にさらに接着剤層が積層されていることを特徴とする真偽判定用媒体ラベルに関するものである。
【００１３】
第５の発明は、第１〜第３いずれかの発明の真偽判定用媒体が剥離性基材の剥離性面に積層されていることを特徴とする真偽判定用媒体転写シートに関するものである。
【００１４】
第６の発明は、第１〜第３いずれかの発明の真偽判定用媒体を、シートの一部に可視可能に有することを特徴とする真偽判定可能なシートに関するものである。
【００１５】
第７の発明は、第１〜第３いずれかの発明の真偽判定用媒体が、真偽判定対象である情報記録体の表面に積層されているか、もしくは前記情報記録体の一部に可視可能に有することを特徴とする真偽判定可能な情報記録体に関するものである。
【発明の効果】
【００１６】
第１の発明によれば、背面に有するプリズムシートが、法線方向では再帰反射性を、斜め方向では透過性を示すことにより、従来の色変化層の場合よりも、見る角度によって見える色がより複雑に変化する真偽判定用媒体を提供することができる。
【００１７】
第２の発明によれば、充填層を伴なわない部分では第１の発明の効果が生じ、充填層を伴なう部分では、色変化層による効果が生じる真偽判定用媒体を提供することができる。
【００１８】
第３の発明によれば、第１または第２の発明の効果に加えて、背面に配置された黒色層もしくは暗色層により、反射光の色が明瞭に確認可能な真偽判定用媒体を提供することができる。
【００１９】
第４の発明によれば、第１〜第３いずれかの発明の効果を有する真偽判定用媒体の背面に接着剤層が積層されているので、そのまま他の物品に貼付けにより適用することが容易な真偽判定用媒体貼着用ラベルを提供することができる。
【００２０】
第５の発明によれば、第１〜第３いずれかの発明の効果を有する真偽判定用媒体に剥離性シートが積層されているので、他の物品に転写により適用することが容易な真偽判定用媒体転写用シートを提供することができる。
【００２１】
第６の発明によれば、第１〜第３いずれかの発明の効果を有する真偽判定用媒体が適用されているので、シートに付加される情報の真偽判定が容易に行なえる真偽判定可能なシートを提供することができる。
【００２２】
第７の発明によれば、第１〜第３いずれかの発明の効果を有する真偽判定用媒体が情報記録体に適用されているので、自身の真偽判定を可能とする、真偽判定可能な情報記録体を提供することができる。
【発明を実施するための最良の形態】
【００２３】
図１は、本発明の真偽判定用媒体１の基本的な構造および角度による色変化を例示する図である。真偽判定用媒体１は、見る角度により色が異なる色可変層としてのコレステリック液晶層２を有し、その背面に透明基材３が積層されており、透明基材３はその背面に積層されたプリズム層４と共にプリズムシート５を構成しており、さらにプリズム層４の背面には黒色層６が積層されて構成されたものである。なお、図中の上面側が観察側、下面側が背面側である。ここで、プリズム層４は、断面形状がＶ字状の溝が配列した凹凸形状を有するものであるが、断面が三角形の柱状体が配列したものとも言える。
【００２４】
このような構成を有する真偽判定用媒体１のコレステリック液晶層２に、観察側の法線方向から入射した光は、コレステリック液晶層２を透過し、プリズムシート５のプリズム層４で方向を変えて、元の方向に戻る、いわゆる「再帰反射」を起こす。入射光が法線方向から若干ずれても、プリズム層４の断面を構成する個々の三角形の辺のうち、透明基材５と平行ではない二辺において、全反射の条件が満足されれば、入射方向に反射光が戻る。このように入射方向に戻る強い反射光は例えば薄赤色を呈する。
【００２５】
観察側からの光の入射方向が法線方向からずれた、上記の全反射の条件が満足されない方向の場合、プリズム層４に入射した光は再帰反射を起こさず、背面から出て黒色層６に到達して吸収される。この場合には、コレステリック液晶層２の性質に基づく、見る角度により色が異なる効果が明瞭になるので、観察する角度を変えることにより、例えば、法線方向に近い方向から遠い方向に向かうに連れ、緑色〜青色の色変化が見られる。
【００２６】
従って、真偽判定用媒体１においては、プリズムシート５を伴わなければ、例えば、緑色から青色への色変化が見られるのみであったのが、プリズムシート５を伴なったことにより、薄赤色〜緑色〜青色の色変化が見られるようになっており、より複雑化している。
【００２７】
図２は、本発明の別の真偽判定用媒体１’の基本的な構造および角度による色変化を例示する図である。この真偽判定用媒体１’は、プリズム層４の凹凸のうち、図中、向かって左半分が充填層７により充填されている点が相違している以外は、図１を引用して説明した真偽判定用媒体１と同様、コレステリック液晶層２、透明基材３、および透明基材３の背面にプリズム層４が積層されて構成されたプリズムシート５が順に積層されたものである。
【００２８】
上記の真偽判定用媒体１’における充填層７は、プリズム層４を構成する素材の光の屈折率と同じであるか、もしくはごく接近した光の屈折率を有する透明物質で構成されていることが好ましい。このような充填層７が充填されている部分では、観察側の法線方向からの入射光であっても、プリズム層４に入射した光は充填層７を経て黒色層６に吸収され、勿論、法線方向以外からの入射光についても同様である。
【００２９】
上記の真偽判定用媒体１’のプリズム層４の凹凸のうち、図中、向かって右半分は充填層７で充填されていない。従って、真偽判定用媒体１’のプリズム層４が充填層７で充填されていない右半分は、図１を引用して説明した真偽判定用媒体１と同じである。
【００３０】
従って、真偽判定用媒体１’においては、充填層７を伴なわない向かって右半分では、図１を引用して説明した真偽判定用媒体１と同様、薄赤色〜緑色〜青色の色変化が見られるものであり、充填層７を伴なう左半分では、緑色〜青色の色変化が見られる。
【００３１】
充填層７がプリズム層４の一部に充填された真偽判定用媒体１’においては、充填層７を所定のパターン状に設けることもできるので、その場合には、上記のような充填層７の有無による視覚効果を、パターン状に生じさせることができる。
【００３２】
コレステリック液晶層２は、素材としてコレステリック液晶を用いて、もしくはネマチック液晶およびカイラル剤を用いて構成されたもので、これらの素材の溶剤溶液を各種のコーティング法によって適用し、乾燥させることにより形成することができ、あるいは、素材として重合性のものを用いて紫外線重合性組成物を調製し、得られた紫外線重合性組成物を各種のコーティング法によって適用し、乾燥後に、紫外線を照射して重合させて形成することもできる。
【００３３】
コレステリック液晶層２を形成する際に、塗布の対象としては、既に述べた透明基材３を利用するとよい。透明基材３とは別の透明基材にコレステリック液晶層２を形成してもよい。
【００３４】
透明基材３としては、コレステリック液晶層２や後述するプリズム層４、もしくは充填層７等の積層、またはそのほかの加工の際に耐え得る、耐溶剤性および耐熱性を有するものが好ましい。使用目的にもよるので、限定されるものではないが、フィルム状もしくはシート状のプラスチックが好ましい。例えば、ポリエチレンテレフタレート（ＰＥＴ）、ポリカーボネート、ポリビニルアルコール、ポリスルホン、ポリエチレン、ポリプロピレン、ポリスチレン、ポリアリレート、トリアセチルセルロース（ＴＡＣ）、ジアセチルセルロース、ポリエチレン／ビニルアルコール等の各種のプラスチックフィルムを例示することができる。
【００３５】
コレステリック液晶層２は配向していることが好ましいので、透明基材３のコレステリック液晶層２を積層する側には配向膜が積層されていることが好ましい。配向膜は、ポリビニルアルコール樹脂（ＰＶＡ）、もしくはポリイミド樹脂等の一般に配向膜として使用し得るものであれば、いずれを用いて形成されたものであってもよい。これらの樹脂の溶剤溶液を、上記のような塗布対象の表面に適宜なコーティング法により塗布し、乾燥させた後に、布、ブラシ等を用いて摩擦するラビングを行なって配向膜を形成することができる。なお、透明基材３等のコレステリック液晶層２の積層対象として、延伸したプラスチックシートを用いるときには、もともと表面が配向性を有しているので、配向膜の積層を省くことができる。
【００３６】
プリズム層４の断面形状は、図１および図２においては、透明基材３に接している以外の二辺の長さが等しい二等辺三角形を想定して描いているが、断面形状は正三角形、直角三角形（二等辺のものも含む。）等のいずれの三角形でもよい。あるいは、入射角度によって再帰反射性と入射光の透過性とが切り替わるものであれば、三角形のプリズム以外のものも使用でき、たとえば、レンチキュラーレンズ（かまぼこレンズ）が配列したものであってもよいし、微小なレンズが多数密に配列したものであってもよい。プリズム層４の断面が三角形状であるとき、プリズム層の厚みは１μｍ〜１００μｍ程度であり、より好ましくは、５μｍから２５μｍ程度であり、ピッチはプリズムの断面形状にもよるが、プリズムの高さと同程度であるか、もしくは数分の１〜数倍程度である。
【００３７】
プリズム層４の凹凸を設けるには、所定の形状の逆型形状を表面に有する型を準備し、型との間を間隔をあけて配置された透明基材３との間に、透明な紫外線硬化性樹脂組成物等を一面に充填し、紫外線照射等により硬化させた後、脱型することにより、透明基材３に所定の凹凸を有するプリズム層４が積層された積層体を得ることができる。なお、透明基材３とプリズム層４とが別の層ではなく、一体化されたものとして製造する場合には、
透明基材３として賦型可能なものを選択して用い、所定の形状の逆型形状を表面に有する型板と、平板との間に透明基材３をはさみ、透明シート１２が熱変形する温度に加熱しつつ加圧し、その後、解放することにより得ることができる。あるいはローラ状の型とバックアップローラとを用いて連続的に賦型することもできる。
【００３８】
充填層７は、プリズム層４の凹凸を有する面に、凹凸を埋めて平坦になるようにして積層した、好ましくはパターン状のもので、プリズム層４を構成する素材の光の屈折率と同じであるか、もしくはごく接近した光の屈折率を有する素材で構成されていることが好ましく、凹凸をならすのに必要な厚みの層を形成する必要上から、シルクスクリーン印刷法等の、盛り量を大きくすることが可能な手法によって形成することが好ましい。
【００３９】
黒色層６は、観察側からプリズム層４の背面に到達した光を吸収する機能を果たすもので、黒色の着色剤、好ましくはカーボン等の黒色の顔料を用いて着色された層であり、具体的には紙、もしくはプラスチックフィルム等のシート状物に黒色着色剤を含有する黒色塗料を塗布したものであるか、または、原料として黒色着色剤を含有するものを用いて製造した黒色の紙もしくは黒色のプラスチックフィルムである。黒色層６は、プリズム層４の背面に、予め作成されたものを貼り付けて積層してもよく、あるいは、プリズム層４の背面を対象としてシート状物を作成することによっても得られる。
【００４０】
本発明の真偽判定用媒体１もしくは１’は、背景技術の説明においても挙げた高額商品やクレジットカード、金券類に適用すると価値が高いが、真偽判定用媒体１もしくは１’をそれらの対象物品に適用しやすくすることを目的として、次に説明するように、ラベル状、もしくは転写シート状に加工して用いることが好ましい。
【００４１】
図３は、真偽判定用媒体をラベル状に加工したものを示す図である。図３に示すように本発明の真偽判定用媒体ラベル１１は、図２を引用して説明した真偽判定用媒体１’の黒色層６の背面に接着剤層８を積層したものである。このように、背面に接着剤層８を積層したことにより、被着体に貼り付けることが容易になる。接着剤層８は感熱接着剤で構成しても、粘着剤で構成しても、いずれでもよい。粘着剤を用いて接着剤層８を構成したときは、粘着剤層の露出面に剥離性シートを仮に貼り付けておき、使用の都度、剥離性シートを剥がすとよい。なお、ここで用いた真偽判定用媒体１’を真偽判定用媒体１と置き換えても勿論差し支えない。
【００４２】
図４は、真偽判定用媒体を転写シート状に加工したものを示す図である。図４に示すように、本発明の真偽判定用媒体転写シート１２は、図２を引用して説明した真偽判定用媒体１’の黒色層６の背面に接着剤層８を積層し、かつ、その観察側を剥離性基材１３の剥離性面１４に積層したものである。このものは、背面の接着剤層８を利用して被着体に貼り付けることが容易になるのに加え、転写シートの形態のものは、連続した剥離性基材１３により個々の真偽判定用媒体１を支持することができるので、被着体を１個ずつ供給して真偽判定用媒体１を適用するのに適している。転写の際に個々の被着体に接着剤を適用することが可能であれば、真偽判定用媒体転写シート１２における接着剤層８を省くこともできる。転写が完了した後、剥離性基材１３は剥離して除去する。なお、ラベル状のものにおけるのと同様、ここで用いた真偽判定用媒体１’を真偽判定用媒体１と置き換えても勿論差し支えない。
【００４３】
本発明の真偽判定用媒体１もしくは１’は、自身が偽造・変造に対する耐久性を有しているため、これらを適用して被着体の偽造・変造に対する耐久性を高めることができる。図５は、被着体であるシート１６に真偽判定用媒体１もしくは１’を貼り付けた真偽判定可能なシート１５を示すものである。このような真偽判定可能なシート１５は、白紙の状態でも、真正性を保証し得るものであるから、任意の方法により、情報を施すことにより、情報を有するシートの真性性を保証することができる。
【００４４】
ここで、シート１６としては、素材的にも用途的にも種々のものがあり得る。基材１６の素材としては、紙、プラスチック、金属箔、布、もしくは不織布等、またはそれらの任意の複合体を用いることができる。
【００４５】
なお、シート１６への真偽判定用媒体１もしくは１’の適用箇所は、シート１６の観察側の面に限らず、シート１６の表裏いずれ、もしくは両方であってもよい。シートが二枚以上の素材シートの積層構造からなる場合、少なくとも観察側のシートを透明、そのほかを不透明のままに構成し、観察側の透明シートとその背面側の不透明シートとの間に積層することができる。あるいは二枚のシートのうちの観察側のシートに孔をあけ、二枚のシートの間に真偽判定用媒体１もしくは１’を適用して、観察側のシートの孔から真偽判定用媒体１もしくは１’がのぞいて見えるようにしてもよく、シート１６の一部に可視可能に真偽判定用媒体を有していればよい。
【００４６】
上記のような素材からなるシート１６は、例えば、金額、発行会社名、もしくは注意書き等の文字または彩紋等の情報を、印刷等の手段により施して作成した情報記録体であってもよく、このような情報記録体１６を用いて構成した真偽判定可能なシート１５は、金券類、交通機関の切符、もしくは定期券等として利用できる真偽判定可能な情報記録体でもある。情報記録体１６は、磁気記録層、もしくはＩＣチップ等の電磁気的な記録を行なえる記録手段を備えていてもよく、このような情報記録体１６を用いて構成した真偽判定可能な情報記録体は、クレジットカード、金融機関の預貯金用カード等として利用価値が高い。
【図面の簡単な説明】
【００４７】
【図１】本発明の真偽判定用媒体の積層構造、および機能を説明する図である。
【図２】本発明の別の真偽判定用媒体の積層構造、および機能を説明する図である。
【図３】真偽判定用媒体をラベル状としたものを示す図である。
【図４】真偽判定用媒体を転写シート状としたものを示す図である。
【図５】真偽判定媒体を適用した真偽判定可能なシートを示す図である。
【図６】従来のコレステリック液晶層を用いた真偽判定用媒体を示す図である。
【符号の説明】
【００４８】
１……真偽判定用媒体
２……コレステリック液晶
３……透明基材
４……プリズマ層
５……プリズムシート
６……黒色層
７……充填層
８……接着剤層
１１……真偽判定用媒体ラベル
１２……真偽判定用媒体転写シート
１３……剥離性基材
１５……真偽判定可能なシート
【図１】
2006142576.tif 000003
【図２】
2006142576.tif 000004
【図３】
2006142576.tif 000005
【図４】
2006142576.tif 000006
【図５】
2006142576.tif 000007
【図６】
2006142576.tif 000008